(57)【要約】      （修正有）【課題】光学品質を維持し、製造プロセスを単純化できる発光ダイオード用パッケージ構造を提供する。【解決手段】発光ダイオード用パッケージ構造は、基板１１と、少なくとも一つの発光ダイオード１２と、光学補正部品１３と、を含み、発光ダイオードは、基板上に設けられ、光ビームを射出し、光学補正部品は、光ビームの進行経路に設けられ、光ビームＬ１を補正し、並びに透光ケース１３１と、透光ゲル１３２と、を含む。透光ケースは、少なくとも一つの充填孔Ｏ１が設けられ、基板上に設けられ、充填孔と基板との間には収容空間Ｈ１が形成され、透光ゲルは、充填孔を介して収容空間に注入され、発光ダイオードをパッケージする。【選択図】図１
0003172956.tif 000002
【実用新案登録請求の範囲】
【請求項１】
基板と、少なくとも一つの発光ダイオードと、光学補正部品と、を含み、
前記発光ダイオードは、前記基板に設けられ、光ビームを射出し、
前記光学補正部品は、前記光ビームの進行経路に設けられ、前記光ビームを補正し、透光ケースと、透光ゲルと、を含み、
前記透光ケースは、少なくとも一つの充填孔が設けられ、前記基板に設けられ、前記充填孔と前記基板は収容空間が形成され、
前記透光ゲルは、前記充填孔を介して前記収容空間に注入され、前記発光ダイオードをパッケージすることを特徴とする発光ダイオード用パッケージ構造。
【請求項２】
前記透光ケースは少なくとも一つの補正部を有し、前記補正部は前記光ビームの進行経路に設けられることを特徴とする請求項１に記載の発光ダイオード用パッケージ構造。
【請求項３】
前記補正部は、凸レンズと、凹レンズと、平凸レンズと、平凹レンズと、凸凹レンズとのうちの少なくとも一つにより構成されることを特徴とする請求項２に記載の発光ダイオード用パッケージ構造。
【考案の詳細な説明】
【技術分野】
【０００１】
本考案は、パッケージ構造に関し、特に、発光ダイオード用パッケージ構造に関するものである。
【背景技術】
【０００２】
従来、発光ダイオード用パッケージ構造は、基板と、発光ダイオードと、封止ゲルと、を含む。パッケージ作業は、まず、前記発光ダイオードを前記基板に設け、金型で前記発光ダイオードを被覆し、並びに前記封止ゲルを前記金型に注入して前記発光ダイオードを被覆する。次に、前記封止ゲルの注入作業が終了した後、前記金型を取り外し、パッケージ作業を完成させる。
【０００３】
しかし、金型と基板の間に隙間があるため、封止ゲルを注入するときに隙間から封止ゲルが漏れ、前記金型を取り外した後、前記封止ゲルのエッジにバリが残るため、発光ダイオード用パッケージ構造が不良となる。
【考案の概要】
【考案が解決しようとする課題】
【０００４】
本考案の目的は、光学補正部品を備え、しかも前記光学補正部品は透光ケースと透光ゲルで構成され、これにより、発光ダイオード用パッケージ構造の光学品質を維持し、製造中に金型を取り外す必要がないため、製造プロセスを単純化できる発光ダイオード用パッケージ構造を提供することである。
【課題を解決するための手段】
【０００５】
上記課題を解決するため、本考案は下記の発光ダイオード用パッケージ構造を提供する。
本考案の発光ダイオード用パッケージ構造は、基板と、少なくとも一つの発光ダイオードと、光学補正部品と、を含み、
前記発光ダイオードは、前記基板に設けられ、光ビームを射出し、
前記光学補正部品は、前記光ビームの進行経路に設けられ、光ビームを補正し、しかも透光ケースと、透光ゲルと、を含み、
前記透光ケースは、少なくとも一つの充填孔が設けられ、並びに基板に設けられ、前記充填孔と前記基板は収容空間が形成され、
前記透光ゲルは、充填孔を介して収容空間内に注入され、発光ダイオードをパッケージする。
【０００６】
前記透光ケースは少なくとも一つの補正部を有し、前記補正部は光ビームの進行経路に設けられる。
【０００７】
更に、前記補正部は、凸レンズと、凹レンズと、平凸レンズと、平凹レンズと、凸凹レンズとのうちの少なくとも一つにより構成される。
【考案の効果】
【０００８】
本考案の発光ダイオード用パッケージ構造は、透光ケースと透光ゲルで構成される光学補正部品を備えることで、発光ダイオードの光学品質を維持でき、透光ゲルが充填孔を介して収容空間内に注入される際に、透光ゲルの漏れをなくし、しかも製造中に金型を取り外す必要がないため、製造プロセスを単純化することができる。
【図面の簡単な説明】
【０００９】
【図１】本考案の外観図である。
【図２】図１のＡ-Ａ線の断面図である。
【図３】補正部を備えた発光ダイオード用パッケージ構造を示す断面図である。
【図４】本考案の製品を示す表示図である。
【考案を実施するための形態】
【００１０】
以下に図面を参照しながら本考案を実施するための形態について詳細に説明する。
まず、図１及び図２を併せて参照願いたい、図１は本考案の外観図であり、図２は図１のＡ-Ａ線の断面図である。本考案の発光ダイオード用パッケージ構造１００は、基板１１と、少なくとも一つの発光ダイオード１２と、光学補正部品１３と、を含む。
【００１１】
前記発光ダイオード１２は、前記基板１１に設けられ、光ビームＬ１を射出する。
【００１２】
前記光学補正部品１３は、光ビームＬ１の進行経路に設けられ、光ビームＬ１を補正し、並びに透光ケース１３１と、透光ゲル１３２と、を含む。前記透光ケース１３１は、少なくとも一つの充填孔Ｏ１が設けられ、並びに前記基板１１に設けられ、前記充填孔Ｏ１と前記基板１１は収容空間Ｈ１が形成される。前記透光ゲル１３２は、充填孔Ｏ１を介して前記収容空間Ｈ１内に注入され、前記発光ダイオード１２をパッケージする。
【００１３】
前記発光ダイオード１２からの前記光ビームＬ１は、少なくとも前記透光ゲル１３２を通過する。製造プロセスにおいて、前記透光ゲル１３２に燐光パウダー、或いは光に励起されることができる素材を添加し、これにより、前記光ビームＬ１が前記透光ゲル１３２を通過した後の色を調整する。
【００１４】
このほか、図３を参照願いたい、図３は補正部を備えた発光ダイオード用パッケージ構造を示す断面図である。図２における発光ダイオード用パッケージ構造１００との相違点は、発光ダイオード用パッケージ構造１００´の透光ケース１３１は、更に、少なくとも一つの補正部１３１１を備えることである。前記補正部１３１１は光ビームＬ２の進行経路に設けられる。もちろん、充填孔Ｏ２の大きさを充填孔Ｏ１と異なるようにしてもよく、発光ダイオード１２の直上に設置しなくてもよく、発光ダイオード１２の側辺に設置してもよい。更に、前記補正部１３１１は、凸レンズと、凹レンズと、平凸レンズと、平凹レンズと、凸凹レンズとのうちの少なくとも一つにより構成され、収容空間Ｈ２の形もそれに応じて変化する。前記補正部１３１１の形を変更することにより、光ビームＬ２の進行方向が変化し、すなわち、光ビームＬ２が光学補正部品１３を通過した後の照射態様を変化する。
【００１５】
図４を参照願いたい、図４は本考案の製品を示す表示図である。発光ダイオード用パッケージ構造１００は、バック枠２００に固定され、ケーブル３００により複数の発光ダイオード用パッケージ構造１００とバック枠２００を直列接続する。このような形にすると、広告用の看板などの照明に適用することができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
１１：基板
１２：発光ダイオード
１３：光学補正部品
１００、１００´：発光ダイオード用パッケージ構造
１３１：透光ケース
１３２：透光ゲル
２００：バック枠
３００：ケーブル
１３１１：補正部
Ｈ１、Ｈ２：収容空間
Ｌ１、Ｌ２：光ビーム
Ｏ１、Ｏ２：充填孔
【図１】
0003172956.tif 000003
【図２】
0003172956.tif 000004
【図３】
0003172956.tif 000005
【図４】
0003172956.tif 000006
【手続補正書】
【提出日】平成23年11月8日(2011.11.8)
【手続補正１】
【補正対象書類名】実用新案登録請求の範囲
【補正対象項目名】全文
【補正方法】変更
【補正の内容】
【実用新案登録請求の範囲】
【請求項１】
基板と、少なくとも一つの発光ダイオードと、光学補正部品と、を含み、
前記発光ダイオードは、前記基板上に設けられ、光ビームを射出し、
前記光学補正部品は、前記光ビームの進行経路に設けられ、前記光ビームを補正し、透光ケースと、透光ゲルと、を含み、
前記透光ケースは、少なくとも一つの充填孔が設けられ、前記基板上に設けられ、前記充填孔と前記基板との間には収容空間が形成され、
前記透光ゲルは、前記充填孔を介して前記収容空間に注入され、前記発光ダイオードをパッケージすることを特徴とする発光ダイオード用パッケージ構造。
【請求項２】
前記透光ケースは少なくとも一つの補正部を有し、前記補正部は前記光ビームの進行経路に設けられ、前記補正部は、凸レンズと、凹レンズと、平凸レンズと、平凹レンズと、凸凹レンズとのうちの少なくとも一つにより構成されることを特徴とする請求項１に記載の発光ダイオード用パッケージ構造。